(57)【要約】      （修正有）【課題】床設置、天井吊り下げ、壁面取り付けなどの様々な設置状況の機器に応じて対応可能なテレビ会議用カメラ設置棚ユニットを提供する。【解決手段】連結することによって長さを変えられる長短のパイプ支柱１とカメラ載置用の設置棚３と左右一対の固定用支持金具２からなり、現場で使用される機器に合わせてディスプレイの設置する高さ位置を決め、パイプ支柱の長さと設置棚の固定位置の高さを選択し、固定用支持金具でパイプ支柱を機器へ接続固定し、パイプ支柱に設置棚を取付けてカメラを載置させる。【選択図】図１
0003222815.tif 000002
【実用新案登録請求の範囲】
【請求項１】
長短の連結可能なパイプ支柱とカメラ載置用の設置棚と左右一対の固定用支持金具からなり、現場で使用される機器に合わせてパイプ支柱の長さと設置棚の固定位置の高さを選択し、固定用支持金具でパイプ支柱を機器へ接続固定し、該パイプ支柱に設置棚を取付けカメラを載置させる事を構造としたテレビ会議用カメラ設置ユニット。
【考案の詳細な説明】
【技術分野】
【０００１】  本考案は、テレビ会議システムで使用されるカメラ用の設置棚に関するものである。
【背景技術】
【０００２】  従来より、本社と支社など、物理的に距離のある場所でカメラとマイク等を使用し、会議や打合せなどのリアルコミュニケーションをはかるテレビ会議システムが活用されている。特にハードウェアとして、大型のディスプレイを使用するテレビ会議システムでは、床に設置したスタンドやラックにディスプレイを取付け、その上部または下部に設置棚を固定しカメラを載置する形態が用いられている。【０００３】  例えば非特許文献１では、ディスプレイを取付けたスタンド支柱へオプション用の設置棚を上部または下部に接続固定し、その上にカメラを載置する仕様となっている。【０００４】  又、非特許文献２では、ディスプレイを取付けたスタンド支柱の上部へ、フレームに取付けたスタンド専用のカメラ設置棚を固定しその上にカメラを載せる方法が用いられている。
【先行技術文献】
【非特許文献】
【０００５】
【非特許文献１】「オーロラ総合カタログＶｏｌ．４８」株式会社共栄商事、２０１８年７月、Ｐ，６１
【非特許文献２】「サンワサプライ総合カタログ２０１８ＶＯＬ．６２」サンワサプライ株式会社、２０１８年３月、Ｐ，１７５
【考案の概要】
【考案が解決しようとする課題】
【０００６】  しかしながら、上記２例の非特許文献では床設置式のスタンドに対してのみ、カメラを載置させる設置棚が取付け可能となっており、天井や壁面に対しては対応しておらず汎用性がない。【０００７】  実際に使用される現場では、ディスプレイを設置する場所は床だけでなく、状況によっては天井から吊り下げたり壁面へ固定したりする場合も十分考えられ、それに対して現状では、ほとんど既製品として対応していない。【０００８】  そこで本考案は、上述した内容を鑑み様々な場所で使用される状況を考慮し床設置式のスタンドでも天井吊り下げ式ハンガーでも、壁面式ハンガーの機器に対しても、共用して設置取付け可能な万能型のテレビ会議用カメラ設置棚ユニットを提供することである。
【課題を解決するための手段】
【０００９】  前記目的を達成するために本考案によるテレビ会議用カメラ設置棚ユニットは、長短の連結可能なパイプ支柱とカメラ載置用の設置棚と左右一対の固定用支持金具からなり、現場で使用される状況や機器に合わせて、ディスプレイを設置する高さ位置を決め、使用するパイプ支柱の長さを選択し固定用支持金具で該パイプ支柱を機器へ接続固定し、設置棚を固定させカメラを載置させることを構造とするテレビ会議用カメラ設置棚ユニットである。
【考案の効果】
【００１０】  本考案の効果として、様々な現場に設置される機器の状況に応じて、長短パイプ支柱の組合せ選択と固定用支持金具で最適な設置棚の高さ位置を決めカメラを載置することができる為、便利であり汎用性がある。又、単一の製品が様々な機器に利用できれば生産コストも抑える事ができ効率よく在庫管理する事も可能となる。
【図面の簡単な説明】
【００１１】
【図１】本考案のテレビ会議用カメラ設置棚ユニットの部品構成図である。
【図２】本考案のテレビ会議用カメラ設置棚ユニットを床設置式のスタンドに取付けした場合の斜視図である。
【図３】本考案のテレビ会議用カメラ設置棚ユニットを天井吊り下げ式のハンガーに取付けした場合の斜視図である。
【図４】本考案のテレビ会議用カメラ設置棚ユニットを壁面式のハンガーに取付けした場合の斜視図である。
【考案を実施するための形態】
【実施例】
【００１２】  本考案の実施例を図に基づいて説明する。図１は本考案のテレビ会議用カメラ設置棚ユニットの部品構成図であり、Ｃ型に折り曲げたチャンネル内に一回り細いコの字型のチャンネルを入れ込み熔接し、先端に連結加工を施した長短のパイプ支柱１と四方を不等辺に折り曲げフタ形状とした設置棚３と不等辺なコの字型に折り曲げた左右一対の固定用支持金具２から構成され、現場で使用されるスタンドやハンガー等の機器に合わせ、設置する高さ位置や使用するパイプ支柱１の長さを選択し左右の固定用支持金具２で該パイプ支柱１を挟持しボルト５、ナット６で固定し該機器へ接続固定し、設置棚３をネジ４で固定させる事によってカメラを載置させることができる。【００１３】  長いパイプ支柱１の正面側には、設置棚３との接続の為固定用に裏ナット熔接を施し左右の側面には固定用支持金具２との接続固定用に複数の貫通穴を施す。これにより、設置棚３を長いパイプ支柱１にネジ４で接続固定させる事ができ、さらに左右の固定用支持金具２で該パイプ支柱１を挟み込みボルト５、ナット６で固定し機器へ取付けさせる事ができる。また、短いパイプ支柱１にも同様の加工をし、長短のパイプ支柱１の連結には、短いパイプ支柱１内のコの字型の板金を突出させ、長いパイプ支柱内に差し込み、各々合わせてタップ穴を施す。これにより、長いパイプ支柱１のみで使用したり短いパイプ支柱１を連結させて使用したりすることが可能で、現場の状況に応じて長さを変えて対応する事ができ便利である。【００１４】  設置棚３は、四方を不等辺に立ち上げた形状としパイプ支柱１との接続固定面には、固定位置が変更可能なように複数の接続貫通穴を施し、カメラＡ載置面にも、カメラＡを固定する為の複数の貫通穴と補助用の固定ベルトを通すためのスリット穴を設ける。これにより設置棚３の固定位置が左右方向に調整可能となり、さらにカメラＡの載置固定位置も変更調整可能となる。又、設置棚３を表裏反対に取付けすることにより、四方の立ち上げ面が囲いとなる為、セットトップボックス等の機器も載置可能となり活用範囲が広がる。【００１５】  左右一対の固定用支持金具２は、各々両辺を不等辺に折り曲げたチャンネル状の形状で正面と折り曲げた長辺部分に各々パイプ支柱１と機器との接続用貫通穴を複数施す。これにより、パイプ支柱１と機器との接続固定が可能となり、正面と折り曲げた長辺の貫通穴のピッチを共通にしておけば、機器とパイプ支柱との奥行き方向の固定位置を選択する事ができ便利である。もちろん、各機器側にも本考案のテレビ会議用カメラ設置棚ユニットとの接続用ジョイント穴加工は予め設けておく事が必要条件となる。【００１６】  図２は、本考案のテレビ会議用カメラ設置棚ユニットを床設置式スタンド１１に取付けた場合の斜視図であり、テレビ会議システムを導入するにあたり一般的に採用されている形態である。移動用のキャスターを取付けた床設置式スタンド１１に大型のディスプレイＢを設置し、スタンド支柱に固定用支持金具２で付設させた長いパイプ支柱１の上部に設置棚３を固定させ、該設置棚３にカメラＡを載置させたものである。この時、設置するディスプレイＢのサイズに合わせて床から設置棚３までの高さ位置を決め長��のパイプ支柱１を連結したり固定用支持金具２との接続位置を変更したりして最適な高さ位置に設定させることができる為、便利である。【００１７】  図３は、本考案のテレビ会議用カメラ設置棚ユニットを天井吊り下げ式ハンガー１２に取付けた場合の斜視図であり、天井１４内スラブコンクリートより降ろしたフランジパイプに天井吊り下げ式ハンガー１２を取付け、ディスプレイＢを係止し、天井吊り下げ式ハンガー１２の金具本体の背面に長いパイプ支柱１を固定用支持金具２で下方向に取付し、設置棚３を固定させカメラＡを載置させた状況を示した図である。この時、上述した床設置式スタンド１１と同様に、固定用支持金具２と長いパイプ支柱１との接続固定位置が自由に変えられる為、最適な高さ位置を設定する事ができる為、便利である。【００１８】  図４は、本考案のテレビ会議用カメラ設置棚ユニットを壁面式ハンガー１３に取付けた場合の斜視図であり、壁面１５の任意の高さ位置に壁面式ハンガー１３を取付けし、ディスプレイＢを係止する金具と壁面１５との隙間にパイプ支柱１を通し固定用支持金具２で接続固定し、設置棚３を接続させカメラＡを載置しディスプレイＢを係止させた状況を示した図である。この時、状況に応じて長いパイプ支柱１を壁面式ハンガー１３の上部に設置する事もでき、又、天井高との兼ね合いで、壁面式ハンガー１３に該テレビ会議用カメラ設置棚ユニットが取付けられなくとも、固定用支持金具２を直接壁面１５へ取付けパイプ支柱１と設置棚３を接続固定させカメラＡを載置させる事もできる為、便利である。
【産業上の利用可能性】
【００１９】  本考案は、今まで上述してきたように、テレビ会議用カメラを載置することを基本とするが、設置棚の机上面に載置可能なサイズであればプロジェクターやスピーカーなどのＡＶ機材も載置でき、幅広く利用することも可能である。
【符号の説明】
【００２０】    １．    パイプ支柱
２．    固定用支持金具
３．    設置棚
４．    ネジ
５．    ボルト
６．    ナット
１１．  床設置式スタンド
１２．  天井吊り下げ式ハンガー
１３．  壁面式ハンガー
１４．  天井
１５．  壁面
Ａ．    カメラ
Ｂ．    ディスプレイ
【図１】
0003222815.tif 000003
【図２】
0003222815.tif 000004
【図３】
0003222815.tif 000005
【図４】
0003222815.tif 000006